(57)【要約】      （修正有）【課題】ＡＬＣ板廃材を有価物として再生し、再資源化して地域社会に寄与する。【解決手段】ＡＬＣ板廃材再生システム事業本部１は、ＡＬＣ有価物再生加工製品２を顧客１５に販売する。複数の製品販売会社３との間に、注文購入納入の指示管理・運搬管理・納期と数量・価格設定・代金決済等の総合管理通信ネットワーク手段を構築し、ＡＬＣメーカー５ともネットワーク手段を構築する。また本部１はＡＬＣ板廃材破砕機メーカー６との間にネットワーク手段を構築する。さらに本部１との間に複数のＡＬＣ販売施工会社８と、ＡＬＣ廃材破砕機１２の調達を含むネットワーク手段を構築する、次に本部１との間に、複数の再生製品加工事業者１３を設置し、さらに加工製品２を運搬する、収集運搬事業者１４ともネットワーク手段を構築して、総合統制管理を行う。【選択図】  図１
2004355589.tif 000002
【特許請求の範囲】
【請求項１】
ＡＬＣ板廃材再生システム事業本部（１）を設置し、前記本部（１）はＡＬＣ有価物再生加工製品（２）を顧客（１５）に販売する、複数の製品販売会社（３）との間に、注文購入納入の指示管理・運搬管理・納期と数量・価格設定・各金融機関ネット口座利用の代金決済等の総合管理通信ネットワーク手段（４）を構築し、さらに前記本部（１）と、ＡＬＣメーカー（５）とも前記ネットワーク手段（４）を構築する、また前記本部（１）はＡＬＣ板廃材破砕機メーカー（６）との間に、ＡＬＣ廃材破砕機（１２）の販売の代理店契約（７）を結び、前記ネットワーク手段（４）を構築する、さらに前記本部（１）との間に現場等の工事を実施する複数のＡＬＣ販売施工会社（８）と、ＡＬＣ廃材（９）を有価物（１０）に再生する処理加工技術を委託させる為の、代理店委託契約（１１）を結び、ＡＬＣ廃材破砕機（１２）の調達を含む前記ネットワーク手段（４）を構築する、次に前記本部（１）との間に、この有価物（１０）を購入して、ＡＬＣ有価物再生加工製品（２）を生産する、複数の再生製品加工事業者（１３）を指導して設置し、さらにこの前記加工製品（２）を運搬する、収集運搬事業者（１４）ともタイアップし、これらと前記ネットワーク手段（４）を構築して総合統制管理してなる、ＡＬＣ板廃材再生事業システム。
【発明の詳細な説明】
【０００１】
【発明の属する技術分野】
本発明は、建設建築壁材等のＡＬＣ板の廃材再生化に関するものである。
【０００２】
【従来の技術】
我国では、古い使用済みＡＬＣ板、および半端屑ＡＬＣ板は産業破棄物廃材としてほとんど捨てられていた。
【０００３】
【発明が解決しようとする課題】
これは次のような問題点があった。
産業破棄物として破棄費用が嵩み、メーカーもこの処理に困っていた。
本発明は、ＡＬＣ板の多くの利点となる物理的性質に着目、なされたのである。
【０００４】
【課題を解決するための手段】
本発明は、本出願人の共同の先行技術であるＡＬＣ廃材破砕機（１２）の開発により（特願２００２−２０９９３３）、つまりこれを利用してＡＬＣ廃材（９）を、有価物（１０）に再生出来た事により、これを基本にＡＬＣ廃材（９）を再資源化して、他方面に利用できる加工製品として市場に出して、多くの顧客（１５）に再生製品として使用してもらう事を目的に、その再利用方法をシステム化したものである。
【０００５】
図１のごとく、ＡＬＣ板廃材再生システム事業本部（１）を設置する。この前記本部（１）は、ＡＬＣ廃材（９）を有価物（１０）に変えて、ＡＬＣ有価物再生加工製品（２）として市場に送り出すために、各業務取引等を実施するために、製品販売会社（３）、ＡＬＣメーカー（５）、ＡＬＣ板廃材破砕機メーカー（６）、ＡＬＣ販売施工会社（８）、再生製品加工事業者（１３）、収集運搬事業者（１４）を設ける。そして、これらと前記本部に、注文購入納入の指示管理・運搬管理・納期と数量・価格設定・各金融機関ネット口座利用の代金決済等の総合管理通信ネットワーク手段（４）を構築し設ける。
【０００６】
ＡＬＣ販売施工会社（８）は、予め前記本部（１）の代理店委託契約（１１）を済ませて、代理店加盟金（１６）と共に前記本部（１）より納入された、ＡＬＣ廃材破砕機（１２）の支払を前記ネットワーク手段（４）にて代金決済を終わらせている必要がある。また、再生製品加工事業者（１３）は社会福祉法人（１７）として、積極的に障害者や高齢者の社会貢献を担う、働く場所になるよう実施する。
本発明は、以上のような構成よりなるＡＬＣ板廃材再生事業システムである。
【０００７】
【発明の実施の形態】
以下、本発明の実施の形態を図面を参考にして詳細に説明する。
前記本部（１）は、複数の製品販売会社（３）から、各種のＡＬＣ有価物再生加工製品（２）の注文を、決定価格で前記ネットワーク手段（４）で受注（２２）する。そしてこの注文の支払代金決済（１８）は、前記ネットワーク手段（４）により指定日に前記本部（１）の取引銀行口座に振込等で入金される。
【０００８】
前記本部（１）は、複数の製品販売会社（３）からの注文を集計し、ＡＬＣ販売施工会社（８）へＡＬＣ有価物再生加工製品（２）の注文量に応じた、有価物（１０）の注文を前記ネットワーク手段（４）にて発注（２３）する。そしてこの注文の支払代金決済（１８）は、前記ネットワーク手段（４）により指定日に前記施工会社（８）の取引銀行口座に振込入金をする。この有価物（１０）は建設施工現場（１９）に於いて随時、加工生産されて前記本部（１）の指示により、再生製品加工事業者（１３）へ運搬搬入（２０）される。
【０００９】
前記本部（１）は、再生製品加工事業者（１３）に、製品販売会社（３）からの前記加工製品（２）の注文を、前記ネットワーク手段（４）にて発注（２３）する。
前記本部（１）は、この再生製品加工事業者（１３）に対しても、注文数量に見合った、支払代金決済（１８）を前記ネットワーク手段（４）にて、指定日に取引銀行口座に入金する。
【００１０】
前記本部（１）は、再生製品加工事業者（１３）が注文に応じて加工生産したＡＬＣ有価物再生加工製品（２）を、収集運搬事業者（１４）に運搬指示して、製品販売会社（３）に納入する。これら製品の在庫管理、出荷管理、納入管理、検収管理等、前記ネットワーク手段（４）で処理する。また、この収集運搬事業者（１４）にも、運搬費の支払代金決済（１８）を前記ネットワーク手段（４）にて、指定日に取引銀行口座に入金する。
【００１１】
また前記本部（１）は、ＡＬＣメーカー（５）からＡＬＣ廃材（９）の有価物（１０）の注文を受注（２２）する。これをＡＬＣ販売施工会社（８）に発注（２３）し、それを収集運搬事業者（１４）に引取らせて、ＡＬＣメーカー（５）に納入する。
これら一連の操作は、前記ネットワーク手段（４）で指令管理し、さらにＡＬＣメーカーより、有価物（１０）の購入代金が指定日に、前記本部（１）の取引銀行口座に入金される。また、前記本部（１）は、ＡＬＣ販売施工会社（８）にＡＬＣ廃材（９）の加工代金としての、つまり有価物（１０）代金を、指定日に取引銀行口座に入金し同じく、収集運搬事業者（１４）にも運搬費を入金する。
【００１２】
【実施例】
本発明は以上のような構成であり、このシステムを利用するときには図１のごとく、ＡＬＣ板廃材再生システム事業本部（１）は、製品販売会社（３）より、ＡＬＣ有価物再生加工製品（２）の売上代金を得る。またＡＬＣメーカー（５）より、有価物（１０）の売上代金を得る。
【００１３】
さらに前記本部（１）は、予めＡＬＣ販売施工会社（８）に対して、ＡＬＣ廃材（９）を有価物（１０）にする技術を業務委託する為に、代理店委託契約（１１）を結び、代理店加盟金（１６）をノウハウ料として得る。さらに必要設備としての、ＡＬＣ廃材破砕機（１２）を販売し、売上代金を得る。
【００１４】
また、前記本部（１）は、新規の、ＡＬＣ販売施工会社（８）が出来る度に、ＡＬＣ板廃材破砕機メーカー（６）に対して、ＡＬＣ廃材破砕機（１２）の仕入代金を支払う。その後通常は、前記本部（１）は、このＡＬＣ販売施工会社（８）へ有価物（１０）の注文分の支払いを行う。
【００１５】
また、これら有価物（１０）は再生製品加工事業者（１３）に前記本部（１）の指示により、ＡＬＣ販売施工会社（８）から納入される。この前記施工会社（８）は、廃材再生処理運搬業も兼ねている。この納入量に対しての、前記本部（１）は再生製品加工事業者（１３）に指示して、ＡＬＣ有価物再生加工製品（２）を製造させて、それを専用の収集運搬事業者（１４）に指示依頼して、引取らせて製品販売会社（３）に納入する。そして、前記加工製品（２）の代金を前記本部（１）は再生製品加工事業者（１３）に支払う。また、収集運搬事業者（１４）に対しても、運送代金を支払う。つまり支払い、入金等の決済は、指定金融機関（２１）のネット通信手段を活用する。
【００１６】
このように、注文購入納入の指示管理・運搬管理・納期と数量・価格設定・各金融機関ネット口座利用の代金決済等総合管理通信ネットワーク手段（４）が、コンピュター等により構築されており、システム全体が敏速に前記本部（１）により運営されている。
【００１７】
次に、本発明によればＡＬＣ板廃材を有価物（１０）に再生して、これを社会に貢献する環境浄化製品として、世に出荷する事が大きな目的であり、再資源化作業である。この一連の作業内容を説明する。
【００１８】
ＡＬＣ販売施工会社（加盟代理店）による、ＡＬＣ現場施工で、ＡＬＣ残材廃材が発生し、これをＡＬＣ板廃材破砕機を使って、現場でＡＬＣ板廃材破砕作業をし、ＡＬＣ再生粉砕材（有価物）に加工、これを回収運搬して、再生製品加工事業者に搬入し、ＡＬＣ再生粉砕材の有価物としてストック、これを粒度仕分作業により粒度分別（大、中、小、細）し、袋詰作業をして再生加工製品として、商品毎にバーコードやＩＣチップを貼付けて梱包する。そして収集運搬事業者により製品販売会社に納入されて、最後は顧客に販売される。
【００１９】
【発明の効果】
１．今までは、厄介な産業破棄物として扱われていたが、見事に再資源化され環境浄化製品として生まれ変わり、地域社会に多大な貢献をした。
（貢献用途）軽量土壌材・・屋上緑化、遊歩道用
調湿材・・・・住宅床下調湿材、シロアリ繁殖防止
脱臭材・・・・脱臭材、消臭材、猫砂等
土壌改良材・・酸性土壌中和材、珪酸質肥料、微生物増殖材
発酵乾燥材・・高温発酵促進材、消臭乾燥材
２．ＡＬＣ廃材から環境浄化製品に再生する迄の工程を、コンピューター等による各種ソフトウェアー技術と、システムネットワーク通信手段で大きな
資本を生み出し、これに携わる人々の雇用と収入に貢献した。
（貢献例）再生製品加工事業者は社会福祉法人Ｓ会として、障害者等の社会参加に、また利益還元に於いても寄与する。
ＡＬＣメーカーも廃材処理から解放されて、しかもリサイクルして、利潤が生まれた。
【図面の簡単な説明】
【図１】本発明のシステム説明図である。
【符号の説明】
１  ＡＬＣ板廃材再生システム事業本部
２  ＡＬＣ有価物再生加工製品
３  製品販売会社
４  注文購入納入の指示管理・運搬管理・納期と数量・価格設定・各金融機関ネット口座利用の代金決済等の総合管理通信ネットワーク手段
５  ＡＬＣメーカー
６  ＡＬＣ板廃材破砕機メーカー
７  代理店契約
８  ＡＬＣ販売施工会社
９  ＡＬＣ廃材
１０  有価物
１１  代理店委託契約
１２  ＡＬＣ廃材破砕機
１３  再生製品加工事業者
１４  収集運搬事業者
１５  顧客
１６  代理店加盟金
１７  社会福祉法人
１８  支払代金決済
１９  建設施工現場
２０  運搬搬入
２１  指定金融機関
２２  受注
２３  発注
【図１】
2004355589.tif 000003